(57)【要約】【課題】皮膚内に蓄積されている蛍光性物質の蓄積量の測定を可能としながら、携帯可能な測定器を提供すること。【解決手段】携帯型測定器１０は、単位面積当たりの皮膚３０内に蓄積されている蛍光性物質の蓄積量を測定する蓄積量測定部（３１、３２、７１）と、測定された上記蓄積量を表示する表示部６２と、上記蓄積量測定部及び上記表示部６２を収納し又は支持し、ユーザによって把持される筐体２０と、を備えている。【選択図】図６
2018082903.tif 000002
【特許請求の範囲】
【請求項１】
単位面積当たりの皮膚内に蓄積されている蛍光性物質の蓄積量を測定する蓄積量測定部と、
測定された上記蓄積量を表示する表示部と、
上記蓄積量測定部及び上記表示部を収納し又は支持し、ユーザによって把持される筐体と、を備えており、
上記蓄積量測定部は、
上記皮膚に向けて励起光を照射する照射部と、
上記励起光が照射された上記皮膚内の蛍光性物質から発生する蛍光を受光して、受光された上記蛍光の強度を検出する受光部と、
検出された上記強度に基づいて、上記蛍光性物質の上記蓄積量を演算する蓄積量演算部と、を備えている携帯型測定器。
【請求項２】
上記皮膚の弾性係数を測定する弾性係数測定部を更に備えており、
上記表示部は、測定された上記弾性係数を表示し、
上記筐体は、上記弾性係数測定部を収納し又は支持しており、
上記筐体は、上記皮膚に当接させる当接部材を備えており、
上記弾性係数測定部は、
上記皮膚から上記当接部材にかかる接触圧を検出する接触圧センサと、
上記当接部材が当接された上記皮膚の変形量を検出する変形量センサと、
検出された上記接触圧及び上記皮膚の上記変形量に基づいて、上記皮膚の上記弾性係数を演算する弾性係数演算部と、を備えている請求項１に記載の携帯型測定器。
【請求項３】
上記筐体は、
上記当接部材を移動可能に支持し、ユーザによって把持される把持部材と、
上記当接部材と上記把持部材とを連結する弾性部材と、を備えており、
上記把持部材は、上記皮膚に接触させる接触面を備えており、
上記変形量センサは、上記当接部材が上記皮膚に当接し且つ上記接触面が上記皮膚に接触したときの上記弾性部材の変形量を、上記接触圧及び上記弾性部材の弾性定数に基づいて演算し、且つ、上記当接部材が上記皮膚に当接していないときに上記当接部材が上記接触面から突出している突出距離から、上記弾性部材の上記変形量を減算して上記皮膚の上記変形量を演算する変形量演算部である請求項２に記載の携帯型測定器。
【請求項４】
上記当接部材は、上記照射部及び上記受光部を収納しており、
上記当接部材に、上記接触圧センサが固定されている請求項３に記載の携帯型測定器。
【請求項５】
上記把持部材は、
上記当接部材を移動可能に支持するプローブ部と、
上記プローブ部が着脱可能な本体部と、を備えており、
上記プローブ部は、上記弾性部材を収納しており、
上記本体部は、上記表示部、上記蓄積量演算部、上記変形量演算部、及び上記弾性係数演算部を収納している請求項４に記載の携帯型測定器。
【請求項６】
上記照射部は、ピーク波長が３７０ｎｍである上記励起光を発光する紫外ＬＥＤである、請求項１から５のいずれかに記載の携帯型測定器。
【発明の詳細な説明】
【技術分野】
【０００１】
本発明は、皮膚内の蛍光性物質の蓄積量及び皮膚の弾性係数を測定する携帯型測定器に関する。
【背景技術】
【０００２】
ＡＧＥｓ（終末糖化産物）は、タンパク質が糖化されて生成される物質であり、老化を進める原因物質であるとされている。ＡＧＥｓは、蛍光性物質であり、波長が３７０ｎｍである励起光を照射されると、波長が４４０ｎｍである蛍光を発する。このようなＡＧＥｓの性質を利用して、従来、ＡＧＥｓ（終末糖化産物）を測定する測定器が知られている。
【０００３】
この種の測定器は、励起光を照射する照射部と、励起光が照射された皮膚内に蓄積されているＡＧＥｓから発生する蛍光を受光する受光部と、受光された蛍光の強度に基づいてＡＧＥｓの蓄積量が測定される。また、この種の測定器は、腕又は手を載せる台座を有する比較的大型の装置であり、測定箇所が例えば腕又は指に固定されている。測定は、当該台座に腕又は手が載せられた状態で、腕又は指に励起光が照射されることにより行われる。特許文献１には、このようなＡＧＥｓの測定器の一例として、照射部及び受光部を有する測定ヘッドと、測定ヘッドに電気的に接続された操作ボックスとを有する装置が開示されている。
【先行技術文献】
【特許文献】
【０００４】
【特許文献１】特開２０１６−１１２３７５号公報
【発明の概要】
【発明が解決しようとする課題】
【０００５】
従来のＡＧＥｓの測定器は、測定箇所が腕又は指に固定されており、例えば顔の皮膚内のＡＧＥｓの蓄積量を測定することは困難である。一方、特許文献１に記載の測定器では、測定ヘッドが操作ボックスから分離されているため、測定箇所は固定されていないが、測定器を携帯しながら使用するには不便である。
【０００６】
本発明は、上述された事情に鑑みてなされたものであり、その目的は、皮膚内に蓄積されている蛍光性物質の蓄積量の測定を可能としながら、携帯可能な測定器を提供することにある。
【課題を解決するための手段】
【０００７】
(1)  本発明に係る携帯型測定器は、単位面積当たりの皮膚内に蓄積されている蛍光性物質の蓄積量を測定する蓄積量測定部と、測定された上記蓄積量を表示する表示部と、上記蓄積量測定部及び上記表示部を収納し又は支持し、ユーザによって把持される筐体と、を備えており、上記蓄積量測定部は、上記皮膚に向けて励起光を照射する照射部と、上記励起光が照射された上記皮膚内の蛍光性物質から発生する蛍光を受光して、受光された上記蛍光の強度を検出する受光部と、検出された上記強度に基づいて、上記蛍光性物質の上記蓄積量を演算する蓄積量演算部と、を備えている。
【０００８】
上記構成によれば、蛍光性物質の蓄積量を測定する蓄積量測定部が、ユーザによって把持される筐体に収納又は支持されている。そのため、上記構成の携帯型測定器は、皮膚内に蓄積されている蛍光性物質の蓄積量の測定を可能としながら、携帯可能である。
【０００９】
(2)  好ましくは、上記携帯型測定器は、上記皮膚の弾性係数を測定する弾性係数測定部を更に備えており、上記表示部は、測定された上記弾性係数を表示し、上記筐体は、上記弾性係数測定部を収納し又は支持しており、上記筐体は、上記皮膚に当接させる当接部材を備えており、上記弾性係数測定部は、上記皮膚から上記当接部材にかかる接触圧を検出する接触圧センサと、上記当接部材が当接された上記皮膚の変形量を検出する変形量センサと、検出された上記接触圧及び上記皮膚の上記変形量に基づいて、上記皮膚の上記弾性係数を演算する弾性係数演算部と、を備えている。
【００１０】
上記構成によれば、蛍光性物質の蓄積量を測定する蓄積量測定部と、皮膚の弾力に対応する皮膚の弾性係数を測定する弾性係数測定部とが、同一の筐体に支持されている。そのため、上記構成の携帯型測定器は、皮膚内に蓄積されている蛍光性物質の蓄積量の測定と、皮膚の弾力の測定とを共に可能としながら、携帯可能である。
【００１１】
(3)  好ましくは、上記筐体は、上記当接部材を移動可能に支持し、ユーザによって把持される把持部材と、上記当接部材と上記把持部材とを連結する弾性部材と、を備えており、上記把持部材は、上記皮膚に接触させる接触面を備えており、上記変形量センサは、上記当接部材が上記皮膚に当接し且つ上記接触面が上記皮膚に接触したときの上記弾性部材の変形量を、上記接触圧及び上記弾性部材の弾性定数に基づいて演算し、且つ、上記当接部材が上記皮膚に当接していないときに上記当接部材が上記接触面から突出している突出距離から、上記弾性部材の上記変形量を減算して上記皮膚の上記変形量を演算する変形量演算部である。
【００１２】
上記構成によれば、皮膚の変形量が、当接部材が皮膚に当接していないときに当接部材が接触面から突出している突出距離から、皮膚に当接部材及び接触面が当接しているときの弾性部材の変形量を減算することによって、演算される。皮膚の変形量を直接的に検出するセンサを用いることなく、皮膚の変形量が検出されるので、センサに要するコストが軽減される。
【００１３】
(4)  好ましくは、上記当接部材は、上記照射部及び上記受光部を収納しており、上記当接部材に、上記接触圧センサが固定されている。
【００１４】
上記構成によれば、照射部及び受光部が当接部材に収納され、接触圧センサが当接部材に固定されている。そのため、当接部材が皮膚に当接したときに、照射部が皮膚に励起光を照射でき、受光部が蛍光を受光でき、接触圧センサが接触圧を検出できる。
【００１５】
(5)  好ましくは、上記把持部材は、上記当接部材を移動可能に支持するプローブ部と、上記プローブ部が着脱可能な本体部と、を備えており、上記プローブ部は、上記弾性部材を収納しており、上記本体部は、上記蓄積量演算部、上記変形量演算部、及び上記弾性係数演算部を収納している。
【００１６】
上記構成によれば、本体部に、表示部、蓄積量演算部、変形量演算部、及び弾性係数演算部が収納され、プローブ部に弾性部材が収納され、プローブ部に支持される当接部材に照射部及び受光部が収納され且つ接触圧センサが固定されている。プローブ部が、本体部に対して着脱可能なので、照射部、受光部、及び接触圧センサの交換が容易である。
【００１７】
(6)  好ましくは、上記照射部は、ピーク波長が３７０ｎｍである上記励起光を発光する紫外ＬＥＤである。
【００１８】
上記構成によれば、ピーク波長が３７０ｎｍである励起光が照射されるので、波長が３７０ｎｍである励起光に対して４４０ｎｍの蛍光を発するＡＧＥｓの蓄積量が、効率よく測定される。
【発明の効果】
【００１９】
本発明によれば、携帯型測定器は、皮膚内に蓄積されている蛍光性物質の蓄積量の測定と、皮膚の弾力の測定とを共に可能としながら、携帯可能である。
【図面の簡単な説明】
【００２０】
【図１】図１は、携帯型測定器１０の外観を示す斜視図である。
【図２】図２は、プローブ部１３が本体部１４から取り外された状態の携帯型測定器１０を示す斜視図である。
【図３】図３は、非測定時における当接部材１１及びプローブ部１３を示す図２のＩＩＩ−ＩＩＩ断面図である。
【図４】図４は、センサチップ２６を模式的に示す断面図である。
【図５】図５は、測定時における当接部材１１及びプローブ部１３を示す断面図である。
【図６】図６は、携帯型測定器１０の電気的な構成を示すブロック図である。
【発明を実施するための形態】
【００２１】
以下に、適宜図面が参照されて、本発明の好ましい実施形態が説明される。なお、以下に説明される実施形態は、本発明の一例に過ぎず、本発明の要旨を変更しない範囲で、本発明の実施形態が適宜変更できることは言うまでもない。
【００２２】
携帯型測定器１０は、単位面積当たりの皮膚３０内の蛍光性物質の蓄積量及び皮膚３０の弾性係数を測定する装置である。本実施形態では、測定される蛍光性物質は、ＡＧＥｓ（終末糖化産物）である。ＡＧＥｓの蓄積量の測定は、励起光１５を皮膚３０内のＡＧＥｓに照射して、ＡＧＥｓから蛍光１６を発生させ、発生した蛍光１６の強度を検出することによって行われる。また、皮膚３０の弾性係数の測定は、皮膚３０に後述の当接部材１１を当接させたときの皮膚３０の凹み量及び接触圧を検出することによって、行われる。
【００２３】
［筐体２０及び把持部材１２］
図１及び図２に示されるように、携帯型測定器１０は、筐体２０を備えている。筐体２０は、皮膚３０に当接させる当接部材１１と、ユーザによって把持される把持部材１２と、を備えている。把持部材１２は、当接部材１１を移動可能に支持するプローブ部１３と、プローブ部１３が着脱可能な本体部１４と、を備えている。
【００２４】
以下の説明では、当接部材１１及び把持部材１２が並んでいる方向が、携帯型測定器１０の中心軸方向１７として定義されている。中心軸方向１７において、当接部材１１のある側が先端側であり、把持部材１２がある側が後端側である。第１径方向１８及び第２径方向１９は、互いに直交する方向であって、中心軸方向１７に対して直交する方向である。特に、第１径方向１８は、把持部材１２に収納された後述の表示部６２の表示面が面する方向である。
【００２５】
［当接部材１１］
図１、図３に示されるように、当接部材１１は、外形が円柱形状である中空の容器である。当接部材１１は、円板状の先端壁４１と、円板状の後端壁４２と、円筒状の側壁４３と、を備える。先端壁４１及び後端壁４２は中心軸方向１７に沿って並んでいる。側壁４３は、先端壁４１及び後端壁４２を中心軸方向１７に沿って連結している。先端壁４１の中央には開口部４１ａが形成されており、開口部４１ａ内にはセンサチップ２６が配置されている。センサチップ２６は基板２７に固定されており、基板２７は先端壁４１に固定されている。先端壁４１の先端面には、接触圧センサ２４が固定されている。後端壁４２の中央には、信号線等の配線を通過させる開口部４２ａが形成されている。後端壁４２の外周部は、側壁４３よりも第１径方向１８及び第２径方向１９の外側に突出するフランジ部４２ｂとなっている。
【００２６】
［センサチップ２６］
図４に示されるように、センサチップ２６は、紫外ＬＥＤ（照射部の一例）３１、フォトダイオード（受光部の一例）３２と、紫外ＬＥＤ３１及びフォトダイオード３２を収納するパッケージ３３と、を備えている。
【００２７】
パッケージ３３は、内部が空洞な概ね直方体形状である。パッケージ３３は、紫外ＬＥＤ３１が配置された発光空間３４と、フォトダイオード３２が配置された受光空間３５と、を備えている。パッケージ３３は、発光空間３４を外部に連通させる貫通孔３６と、当該貫通孔３６内に配置されたシリコンマイクロレンズ３７と、受光空間３５を外部に連通させる貫通孔３８と、を備えている。
【００２８】
紫外ＬＥＤ３１は、皮膚３０に向けて励起光１５を照射するデバイスである。ここで、ＡＧＥｓは、波長が３７０ｎｍである励起光１５が照射されたときに、４４０ｎｍの蛍光１６を発生する蛍光性物質である。そのため、紫外ＬＥＤ３１は、ＡＧＥｓに対応した蛍光１６が得られるように、ピーク波長が３７０ｎｍである励起光１５を発光するように構成されている。なお、紫外ＬＥＤ３１は、３７０ｎｍを含む波長域の励起光１５を放射できればよく、励起光１５のピーク波長が３７０ｎｍである場合に限定されない。
【００２９】
紫外ＬＥＤ３１から放射された励起光１５は、シリコンマイクロレンズ３７を通じて、パッケージ３３の外部へ出力され、当接部材１１に対向する位置にある皮膚３０に照射される。皮膚３０内のＡＧＥｓに励起光１５が照射されると、当該ＡＧＥｓから蛍光１６が発生する。
【００３０】
フォトダイオード３２は、励起光１５が照射された皮膚３０内のＡＧＥｓから発生する蛍光１６を受光し、受光された蛍光１６の強度を検出するデバイスである。検出された蛍光１６の強度に基づいて、単位面積当たりの皮膚３０内のＡＧＥｓの蓄積量が測定される。
【００３１】
なお、センサチップ２６又は基板２７は、フォトダイオード３２が出力する電気信号を増幅する増幅回路を備えていてもよい。
【００３２】
［接触圧センサ２４］
図３に示されるように、接触圧センサ２４は、皮膚３０から当接部材１１にかかる接触圧を検出するデバイスである。当接部材１１が皮膚３０に押し付けられたときに、当接部材１１の先端面に設けられた接触圧センサ２４が皮膚３０に当接する。接触圧センサ２４は、例えばピエゾ素子で構成されており、接触圧センサ２４に加えられた圧力が電気信号として出力される。
【００３３】
［プローブ部１３］
図１から図３に示されるように、プローブ部１３は、外形が概ね円柱状である中空の容器である。プローブ部１３は、円環状の先端壁５１、円板状の中間壁５２、円板状の後部壁５３、円筒状の側壁５４、及び円環状の係合凸部５５を備えている。先端壁５１、中間壁５２及び後部壁５３は、中心軸方向１７に沿って並んでいる。側壁５４は、先端壁５１、中間壁５２、後部壁５３、係合凸部５５を中心軸方向１７に沿って連結している。
【００３４】
先端壁５１の中央には、開口部５１ａが形成されている。開口部５１ａ内には、当接部材１１の側壁４３が配置されている。開口部５１ａの内径は、側壁４３の外形に略一致しており、フランジ部４２ｂの外径よりも小さい。そのため、当接部材１１は、プローブ部１３から抜け落ちることなく支持されている。先端壁５１の先端面は、皮膚３０に接触させる接触面５１ｂである。
【００３５】
中間壁５２の中央には、信号線等の配線を通過させる開口部５２ａが形成されている。また、後部壁５３の中央にも、信号線等の配線を通過させる開口部５３ａが形成されている。
【００３６】
図１及び図２に示されるように、プローブ部１３は、２つの係合部５８を備えている。２つの係合部５８は、第１径方向１８に沿って並んでおり、側壁５４に固定されている。係合部５８は、後端側へ延びる延出部５８ａと、延出部５８ａの後端から径方向内側に延びる係合片５８ｂと、を有する。係合部５８は、本体部１４に設けられた後述の被係合部４６に係合可能である。また、プローブ部１３の係合凸部５５は、本体部１４に設けられた後述の係合凹部４５に係合可能である。プローブ部１３が本体部１４に取り付けられた状態では、プローブ部１３の係合部５８及び係合凸部５５が、本体部１４の被係合部４６及び係合凹部４５に係合する。
【００３７】
［コネクタ５６］
図３に示されるように、携帯型測定器１０は、プローブ部１３内にコネクタ５６を備えている。コネクタ５６は、後部壁５３よりも後端側に位置し、後部壁５３に固定されている。コネクタ５６は、本体部１４に設けられた後述のコネクタ６４と電気的に接続可能である。コネクタ５６には、紫外ＬＥＤ３１、フォトダイオード３２、及び接触圧センサ２４からの信号線が接続されている。
【００３８】
［弾性部材２３］
図３に示されるように、携帯型測定器１０は、プローブ部１３内に弾性部材２３を備えている。弾性部材２３は、当接部材１１と、把持部材１２の一部であるプローブ部１３とを連結している。弾性部材２３は、本実施形態では、圧縮コイルバネである。弾性部材２３は、当接部材１１の後端壁４２とプローブ部１３の中間壁５２とに当接している。当接部材１１が皮膚３０に接触していない状態では、当接部材１１がプローブ部１３から最大限突出した状態、つまりフランジ部４２ｂがプローブ部１３の先端壁５１に当接した状態にある。突出距離８１は、当接部材１１がプローブ部１３から最大限突出したときの接触面５１ｂから当接部材１１の先端面までの距離である。当接部材１１がプローブ部１３から最大限突出した状態において、弾性部材２３は、圧縮された状態にある。そのため、弾性部材２３は、常に当接部材１１を先端側に付勢している。
【００３９】
図５に示されるように、皮膚３０の弾性係数の計測が行われる際に、接触面５１ｂが皮膚３０に接触するまで、当接部材１１が皮膚３０に押し付けられる。このとき、皮膚３０が当接部材１１によって凹まされると共に、弾性部材２３の付勢力に逆らって当接部材１１が後端側へ押し込まれる。ここで、皮膚３０の弾性係数は、皮膚３０が弾性体であると考えた場合の弾性係数である。皮膚３０の弾性係数は、フックの法則を利用して、皮膚３０が凹まされたときに皮膚３０にかかる外力と、そのときの皮膚３０の変形量（凹み量）８２とによって、特定される。皮膚３０にかかる外力は、皮膚３０から当接部材１１にかかる力に等しい。この力は、皮膚３０から当接部材１１にかかる接触圧に基づいて特定される。また、皮膚３０の変形量８２は、突出距離８１から弾性部材２３の変形量（収縮量）８３を減算した距離に等しい。弾性部材２３の変形量８３は、フックの法則を利用して、弾性部材２３の弾性係数と、当接部材１１にかかる力とに基づいて特定される。弾性部材２３の弾性係数は予め特定されているので、未知数は、当接部材１１にかかる力のみである。したがって、皮膚３０から当接部材１１にかかる接触圧が検出されれば、皮膚３０の変形量８２を特定することができ、さらに皮膚３０の弾性係数を特定することができる。
【００４０】
［本体部１４］
図１、図２に示されるように、本体部１４は、本実施形態では、外形が直方体形状である中空の容器である。本体部１４は、先端側に形成された開口部１４ａと、第１径方向１８の一方側に形成された開口部１４ｂ及び３つの開口部１４ｃと、を有する。また、本体部１４には、表示部６２と、３つの操作部６３と、コネクタ６４とが固定されている。コネクタ６４は、先端側の開口部１４ａ内に配置されている。表示部６２は、開口部１４ｂから露出している。３つの操作部６３は、それぞれ３つの開口部１４ｃから露出している。
【００４１】
図２に示されるように、本体部１４は、先端側に形成された開口部１４ａの周囲に、係合凹部４５と、２つの被係合部４６と、を備えている。
【００４２】
係合凹部４５は、先端側に延びる円筒状の円筒部４５ａと、円筒部４５ａの先端から径方向外側に拡がるフランジ部４５ｂと、を備えている。円筒部４５ａの外周面はフランジ部４５ｂの外周面に対して凹んでいる。そのため、プローブ部１３の係合凸部５５が、本体部１４の係合凹部４５に係合可能である。
【００４３】
２つの被係合部４６は、プローブ部１３の２つの係合部５８に対応しており、第１径方向１８に沿って並んで配置されている。被係合部４６は、第１凹部４６ａと、第２凹部４６ｂと、係合片４６ｃと、を有する。第１凹部４６ａは、本体部１４の先端面及び第１径方向１８における外面から凹んで形成されている。第２凹部４６ｂは、第１凹部４６ａの後端側において、第１径方向１８における外面から凹んで形成されている。係合片４６ｃは、第１径方向１８の外側に延びる部位であって、第１凹部４６ａ及び第２凹部４６ｂを区画している。プローブ部１３の各係合片５８ｂが、本体部１４の各第２凹部４６ｂに係合可能である。
【００４４】
分離された状態のプローブ部１３を本体部１４に対して後端側へ移動させることによって、プローブ部１３を本体部１４に取り付けることが可能である。プローブ部１３が本体部１４に接近するときに、まず、プローブ部１３の係合片５８ｂが本体部１４の第１凹部４６ａ内に進入する。プローブ部１３がさらに後端側へ移動すると、プローブ部１３の係合片５８ｂが本体部１４の係合片４６ｃに当接する。係合部５８（プローブ部１３）は樹脂で形成されているので、この移動に伴ってプローブ部１３の延出部５８ａが弾性変形して、プローブ部１３の係合片５８ｂが本体部１４の係合片４６ｃを乗り越える。その結果、プローブ部１３の係合片５８ｂが本体部１４の第２凹部４６ｂ内に進入して、プローブ部１３の係合部５８が本体部１４の被係合部４６に係合する。また、係合凸部５５（プローブ部１３）は樹脂で形成されているので、この移動に伴ってプローブ部１３の係合凸部５５が弾性変形して、本体部１４のフランジ部４５ｂを乗り越える。その結果、プローブ部１３の係合凸部５５が本体部１４の係合凹部４５に係合する。このようにして、プローブ部１３が本体部１４に取り付けられる。逆に、プローブ部１３を本体部１４から先端側へ移動させることによって、同様にプローブ部１３の弾性変形を利用して、プローブ部１３が本体部１４から取り外される。
【００４５】
［表示部６２］
表示部６２は、測定されたＡＧＥｓの蓄積量及び皮膚３０の弾性係数を表示するデバイスである。表示部６２は、少なくとも文字表示が可能に構成されており、例えば、液晶パネルである。
【００４６】
［操作部６３］
操作部６３は、制御部６６（図６）にユーザが指令を入力するためのデバイスである。操作部６３は、例えば、押しボタンである。
【００４７】
［コネクタ６４］
コネクタ６４は、プローブ部１３に設けられたコネクタ５６に電気的に接続可能なコネクタである。コネクタ６４は、本体部１４にプローブ部１３が装着された状態（図１参照）において、プローブ部１３に設けられたコネクタ５６と電気的に接続される。
【００４８】
［電気的構成］
図６を参照して、携帯型測定器１０の電気的構成が説明される。携帯型測定器１０は、本体部１４内に、制御部６６、電源部６７、及び信号処理部６８を備えている。
【００４９】
制御部６６は、ＣＰＵ（中央演算処理装置）及びメモリを備えており、当該メモリ内には携帯型測定器１０の作動を制御するための各種プログラムが記憶されている。制御部６６は、操作部６３から入力された指令に基づいて、信号処理部６８、コネクタ５６、６４を介して、紫外ＬＥＤ３１の点灯を制御し、且つ表示部６２の表示を制御する。また、制御部６６には、フォトダイオード３２及び接触圧センサ２４からの検出信号が、コネクタ５６、６４及び信号処理部６８を介して、入力される。
【００５０】
電源部６７は、例えば、リチウムイオン電池である。電源部６７は、制御部６６からの指令に基づき、紫外ＬＥＤ３１、表示部６２、及び信号処理部６８に電力を供給する。
【００５１】
信号処理部６８は、信号処理のための回路であり、例えば、増幅回路、Ａ／Ｄ変換回路、及び紫外ＬＥＤ３１の駆動回路を含む。信号処理部６８は、駆動電流を出力する。駆動電流は、コネクタ５６、６４を介してセンサチップ２６の紫外ＬＥＤ３１に送信される。また、信号処理部６８は、コネクタ５６、６４を介してセンサチップ２６のフォトダイオード３２から受信した電気信号を増幅し、デジタル信号に変換する。
【００５２】
［蓄積量演算部７１、変形量演算部７２、及び弾性係数演算部７３］
制御部６６は、蓄積量演算部７１、変形量演算部７２、及び弾性係数演算部７３を備えている。蓄積量演算部７１は、フォトダイオード３２によって検出された蛍光１６の強度に基づいて、励起光１５が照射された単位面積当たりの皮膚３０内のＡＧＥｓの蓄積量を演算する。変形量演算部（変形量センサの一例）７２は、当接部材１１が当接された皮膚３０の変形量（凹み量）８２を演算する。上述したように、接触圧センサ２４によって検出された接触圧と弾性部材２３の弾性係数とに基づいて、皮膚３０の変形量８２が特定される。ことを利用して、変形量演算部７２は、皮膚３０の変形量８２を演算できる。したがって、変形量演算部７２は、当接部材１１が当接された皮膚３０の変形量（凹み量）８２を検出するセンサとして機能する。弾性係数演算部７３は、接触圧センサ２４によって検出された接触圧及び皮膚３０の変形量８２に基づいて、皮膚３０の弾性係数を演算する。
【００５３】
［蓄積量測定部及び弾性係数測定部］
携帯型測定器１０は、上述の構成により、ＡＧＥｓの蓄積量を測定する蓄積量測定部と、皮膚３０の弾性係数を測定する弾性係数測定部とを備えている。蓄積量測定部は、紫外ＬＥＤ３１と、フォトダイオード３２と、蓄積量演算部７１とを備えている。弾性係数測定部は、接触圧センサ２４と、変形量センサとしての変形量演算部７２と、弾性係数演算部７３とを備えている。
【００５４】
［使用例］
携帯型測定器１０は、例えば、以下のようにして使用される。ユーザは、把持部材１２の一部である本体部１４を指で挟むことによって、携帯型測定器１０を把持する。ユーザは、操作部６３を入力操作することによって、携帯型測定器１０を起動させる。ユーザは、起動した携帯型測定器１０を移動させて、当接部材１１を例えば自らの顔の皮膚３０に向けて接近させる。ユーザは、プローブ部１３の接触面５１ｂが皮膚３０に接触するまで、携帯型測定器１０を皮膚３０に向けて押し付ける。その結果、皮膚３０が当接部材１１によって凹まされると共に、当接部材１１がプローブ部１３内へと押し込まれる。皮膚３０に当接部材１１が接触しさらには当接すると、皮膚３０から当接部材１１に加わる接触圧が接触圧センサ２４によって検出される。接触圧センサ２４から接触圧に対応する電気信号が制御部６６に向けて出力される。
【００５５】
接触圧に対応する電気信号が入力されると、制御部６６は、紫外ＬＥＤ３１を起動させて励起光１５を照射させる。励起光１５の照射により皮膚３０内のＡＧＥｓから蛍光１６が発生する。当該蛍光１６は、フォトダイオード３２によって検出される。フォトダイオード３２から、蛍光１６の強度に対応する電気信号が出力される。当該電気信号は、信号処理部６８を経由して制御部６６に入力される。制御部６６の蓄積量演算部７１は、蛍光１６の強度に対応する電気信号に基づいて、単位面積当たりの皮膚３０内のＡＧＥｓの蓄積量を演算する。
【００５６】
接触圧に対応する電気信号が入力されると、制御部６６の変形量演算部７２は、当該電気信号に基づいて、皮膚３０の変形量８２を演算する。また、制御部６６の弾性係数演算部７３は、検出された接触圧及び演算された皮膚３０の変形量８２に基づいて、皮膚３０の弾性係数を演算する。
【００５７】
制御部６６は、ＡＧＥｓの蓄積量に応じて、ＡＧＥｓの蓄積量に応じたＡＧＥｓの評価結果を算出してもよい。ＡＧＥｓの評価結果は、例えば、ＡＧＥｓの蓄積量に対応する推定年齢である。同様に、皮膚３０の弾性係数に応じて、皮膚３０の弾性の評価結果を算出してもよい。皮膚３０の弾性の評価結果は、例えば、肌年齢である。
【００５８】
制御部６６は、演算されたＡＧＥｓの蓄積量及び皮膚３０の弾性係数を表示部６２に表示させる。制御部６６は、ＡＧＥｓの蓄積量及び皮膚３０の弾性係数に代えて又は加えて、ＡＧＥｓの蓄積量の評価結果及び皮膚３０の弾性の評価結果を、表示部６２に表示させてもよい。
【００５９】
接触圧に対応する電気信号が消失すると、制御部６６は、紫外ＬＥＤ３１の駆動を停止させる。ＡＧＥｓの蓄積量及び皮膚３０の弾性係数の計測が終了すると、ユーザは、操作部６３を入力操作することによって、携帯型測定器１０を停止させる。
【００６０】
［本実施形態の作用効果］
本実施形態に係る携帯型測定器１０によれば、蛍光性物質（ＡＧＥｓ）の蓄積量を測定する蓄積量測定部（３１、３２、７１）が、筐体２０に収納又は支持されている。そのため、上記構成の携帯型測定器１０は、皮膚３０内に蓄積されている蛍光性物質（ＡＧＥｓ）の蓄積量の測定を可能としながら、携帯可能である。
【００６１】
また、蛍光性物質（ＡＧＥｓ）の蓄積量を測定する蓄積量測定部（３１、３２、７１）と、皮膚３０の弾力に対応する皮膚３０の弾性係数を測定する弾性係数測定部（２４、７２、７３）とが、同一の筐体２０に支持されている。そのため、上記構成の携帯型測定器１０は、皮膚３０内に蓄積されている蛍光性物質（ＡＧＥｓ）の蓄積量の測定と、皮膚３０の弾力の測定とを共に可能としながら、携帯可能である。
【００６２】
また、上記実施形態によれば、皮膚３０の変形量８２が、当接部材１１が皮膚３０に当接していないときに当接部材１１が接触面５１ｂから突出している突出距離８１から、皮膚３０に当接部材１１及び接触面５１ｂが当接しているときの弾性部材２３の変形量８３を減算することによって、演算される。皮膚３０の変形量８２を直接的に検出するセンサを用いることなく、皮膚３０の変形量８２が検出されるので、センサに要するコストが軽減される。
【００６３】
また、上記実施形態によれば、紫外ＬＥＤ３１及びフォトダイオード３２が当接部材１１に収納され、接触圧センサ２４が当接部材１１に固定されている。そのため、当接部材１１が皮膚３０に当接したときに、紫外ＬＥＤ３１が皮膚３０に励起光１５を照射でき、フォトダイオード３２が蛍光１６を受光でき、接触圧センサ２４が接触圧を検出できる。
【００６４】
また、上記実施形態によれば、本体部１４に、表示部６２、蓄積量演算部７１、変形量演算部７２、及び弾性係数演算部７３が収納され、プローブ部１３に弾性部材２３が収納され、プローブ部１３に支持される当接部材１１に紫外ＬＥＤ３１及びフォトダイオード３２が収納され且つ接触圧センサ２４が固定されている。プローブ部１３が、本体部１４に対して着脱可能なので、紫外ＬＥＤ３１、フォトダイオード３２、及び接触圧センサ２４の交換が容易である。
【００６５】
また、上記実施形態によれば、ピーク波長が３７０ｎｍである励起光１５が照射されるので、波長が３７０ｎｍである励起光１５に対して４４０ｎｍの蛍光を発するＡＧＥｓの蓄積量が、効率よく測定される。
【００６６】
［変形例］
上記実施形態においては、携帯型測定器１０は、蓄積量測定部（３１、３２、７１）及び弾性係数測定部（２４、７２、７３）を備え、蓄積量測定部（３１、３２、７１）及び弾性係数測定部（２４、７２、７３）が同一の筐体２０に収納又は支持されている。このような構成に代えて、携帯型測定器１０は、蓄積量測定部（３１、３２、７１）のみを備え、蓄積量測定部（３１、３２、７１）が筐体２０に収納又は支持されてもよい。
【００６７】
上記実施形態においては、皮膚３０の変形量８２は、当接部材１１が皮膚３０に当接していないときに当接部材１１が接触面５１ｂから突出している突出距離８１から、弾性部材２３の変形量８３を減算して演算されている。この演算は、変形量演算部７２によって行われている。このような構成に代えて、携帯型測定器１０は、皮膚３０の変形量８２に対応して変化する弾性部材２３の変形量８３（当接部材１１の移動量）を検出するセンサを備えてもよい。あるいは、携帯型測定器１０は、皮膚３０の変形量８２を直接的に検出するセンサ、例えばレーザー距離センサを備えてもよい。
【００６８】
上記実施形態においては、弾性部材２３として圧縮コイルバネが用いられているが、スポンジ、ポーラス弾性体、ゲル弾性体などの弾性体が用いられてもよい。
【００６９】
上記実施形態においては、当接部材１１は、紫外ＬＥＤ３１及びフォトダイオード３２を収納しているが、紫外ＬＥＤ３１及びフォトダイオード３２が配置される位置は限定されない。紫外ＬＥＤ３１及びフォトダイオード３２は、筐体２０内であれば、当接部材１１の代わりに、プローブ部１３又は本体部１４内に配置されてもよい。
【００７０】
上記実施形態においては、把持部材１２は、プローブ部１３と、プローブ部１３が着脱可能な本体部１４とを備えているが、把持部材１２は、分離しない一体的な容器で構成されてもよい。
【符号の説明】
【００７１】
１０・・・携帯型測定器
１１・・・当接部材
１２・・・把持部材
１３・・・プローブ部
１４・・・本体部
１５・・・励起光
１６・・・蛍光
２０・・・筐体
２３・・・弾性部材
２４・・・接触圧センサ
３０・・・皮膚
３１・・・紫外ＬＥＤ（照射部の一例）
３２・・・フォトダイオード（受光部の一例）
５１ｂ・・・接触面
６２・・・表示部
７１・・・蓄積量演算部
７２・・・変形量演算部（変形量センサの一例）
７３・・・弾性係数演算部
【図１】
2018082903.tif 000003
【図２】
2018082903.tif 000004
【図３】
2018082903.tif 000005
【図４】
2018082903.tif 000006
【図５】
2018082903.tif 000007
【図６】
2018082903.tif 000008